(57)【特許請求の範囲】
【請求項１】
一つのPCB上に一体に配置され、前記PCBと異なる他のPCBに配置される機能ブロックの動作に必要な一つ以上の電源を供給する電源部と、
前記電源部とは異なるPCB上に一体に配置される機能ブロックの一つであって、所定の画像を表示するように制御する画像駆動部と、
前記電源部とは異なるPCB上に一体に配置される機能ブロックの他の一つであって、前記前記画像駆動部とも異なるPCB上に配置され、前記画像駆動部とは差動信号インターフェイスによって連結され、外部から提供される画像信号を平板ディスプレイパネルに適した信号形態に変換して前記画像駆動部に提供する信号処理部と、
を含む平板ディスプレイ装置。
【請求項２】
一つのＰＣＢ上に配置され、前記PCBと異なる他のPCBに配置される機能ブロックの動作に必要な一つ以上の第１電源を供給する第１電源部と、
前記第１電源部が配置されるＰＣＢとは異なるＰＣＢに配置され、前記PCBと異なる他のPCBに配置される機能ブロックの動作に必要な一つ以上の第２電源を供給する第２電源部と、
前記第１または第２電源部のいずれとも異なるＰＣＢ上に配置される機能ブロックの一つであって、前記第１電源の供給を受けて、所定の画像を表示するように制御信号を発生する画像駆動部と、
前記第１及び第２電源部と前記画像駆動部のいずれとも異なるＰＣＢ上に配置される機能ブロックの他の一つであって、前記画像駆動部とは差動信号インターフェースによって連結され、前記第１電源の供給を受けて、外部から提供される画像信号を平板ディスプレイパネルに適した信号形態に変換して前記画像駆動部に提供する信号処理部と、
前記平板ディスプレイパネルの背面に配置されて前記第２電源の供給を受けて駆動されるバックライト部と、
を含む平板ディスプレイ装置。
【請求項３】
前記信号処理部は、
外部からグラフィック情報の提供を受けてデジタルグラフィック信号を出力する一つ以上のインターフェース部と、
前記デジタルグラフィック信号を前記画像駆動部の環境に適応するように変換し、変換されたデジタルグラフィック信号を出力するスケーリング制御部と、
前記変換されたデジタルグラフィック信号を前記画像駆動部に提供するタイミング制御部と、
を含むことを特徴とする、請求項１または２に記載の平板ディスプレイ装置。
【請求項４】
前記画像駆動部は、共通電極電圧発生部と、階調電圧発生部と、データ信号を出力するデータドライバーと、ゲート信号を出力するゲートドライバーとを含み、前記データ信号と前記ゲート信号の提供を受けて所定の画像を表示する液晶表示パネルとともに液晶表示モジュールを構成し、前記液晶表示パネルの背面に配置されたバックライト部とともに、前記電源部から電源の供給を受けて駆動する、請求項１に記載の平板ディスプレイ装置。
【請求項５】
前記電源部は、
外部から提供される電源を制御して前記液晶表示モジュールのバックライト部を駆動するための電源を供給し、またアナログタイプ電源を前記液晶表示モジュールに供給し、デジタルタイプ電源を前記信号処理部及び前記液晶表示モジュールに供給することを特徴とする、請求項４に記載の平板ディスプレイ装置。
【請求項６】
前記画像駆動部は、前記第１電源の供給を受けて駆動される、共通電極電圧発生部と、階調電圧発生部と、データ信号を出力するデータドライバーと、ゲート信号を出力するゲートドライバーとを含み、前記データ信号と前記ゲート信号の提供を受けて所定の画像を表示する液晶表示パネルとともに液晶表示モジュールを構成し、
前記液晶表示パネルの背面に配置されて前記第２電源の提供を受けて駆動されるバックライト部をさらに含むことを特徴とする、請求項２に記載の平板ディスプレイ装置。
【請求項７】
前記電源部、前記画像駆動部及び前記信号処理部は前記平板ディスプレイ装置の背面上の実質的な同一平面上に配置されることを特徴とする、請求項１に記載の平板ディスプレイ装置。
【請求項８】
前記第１電源部、前記第２電源部、前記画像駆動部及び前記信号処理部は前記平板ディスプレイ装置の背面上の実質的な同一平面上に配置されることを特徴とする、請求項２に記載の平板ディスプレイ装置。
【請求項９】
前記差動信号インターフェースはＲＳＤＳであることを特徴とする、請求項１または２に記載の平板ディスプレイ装置。
【発明の詳細な説明】
【０００１】
【発明の属する技術分野】
本発明は平板ディスプレイ装置に関し、より詳しくは平板ディスプレイのシステム構成において特性や構造、特に生産過程における最適の構造を提示して多様な入力信号にも対応が可能な平板ディスプレイ装置に関する。
【０００２】
【従来の技術】
１９９０年代に陰極線管ＣＲＴ、液晶ディスプレイＬＣＤ、プラズマ表示パネルＰＤＰ、電場発光ＥＬなどの各種表示素子はそれぞれの表示特性で最も競争力ある分野で固有市場を確保しながら研究を進めていき、その結果試作品を発表している。
【０００３】
例えば、１３インチ以下の携帯用画面にはＬＣＤが、１５乃至２０インチのモニター画面では現在ＣＲＴが優勢であるが、今後ＴＦＴＬＣＤと熾烈な市場競争が予想される。また、２０乃至３０インチ級ＴＶ受像機はＣＲＴが当分大部分の市場を継続して主導する展望であるが、ＰＡＬＣＤ（Plasma Addressed LCD）やＴＦＴ ＬＣＤの表示特性と価格が有利になれば状況が変わり得る。また３０乃至４０インチの画面はＣＲＴとＰＤＰ、そして４０インチ以上では直視形であるＰＤＰと投射形であるＬＣＤ投影機とＣＲＴ投影機、そしてデジタルミラーディスプレイＤＭＤ投影機が競争する展望である。
【０００４】
また無機ＥＬは信頼性が重要な軍事用装備で、発光ダイオードＬＥＤは室内と大画面表示市場を自ら開拓しており、有機ＥＬと電界放射ディスプレイＦＥＤは次世代表示素子として多く研究されている。
このように、ディスプレイ装置の市場は順次により大画面の、より薄形の平板ディスプレイ装置（Flat Panel Display divice）に変化している実情である。
【０００５】
一般的なＬＣＤモニターは独立した液晶表示モジュールに追加してアナログＲＧＢ、ＮＴＳＣなどの標準的ビデオ及びＴＭＤＳ（Transition Minimized Differential Signaling）などのデジタル信号を入力して画面規格整合（scaling）及び画面内書込ＯＳＤ（On Screen Display）などの信号処理を行う印刷配線板ＰＣＢを装着し、バックライトを発光させる電源用インバータを追加する構造である。
【０００６】
【発明が解決しようとする課題】
このような一般的なＬＣＤモニターでは、液晶表示モジュール製作業者、インバータ製作業者及び最終モニター製作業者がそれぞれ異なるため、複数の機能ブロックを組合わせた構造にする場合が多い。
つまり、液晶表示モジュール製作業者側で製作したパネル上にインバータ製作業者側でインバータを付着し、最終モニター製作業者側で当該モニター製品を完成するのが実情であるが、このような構造から来る問題は下記の通りである。
【０００７】
各機能ブロックがインバータＰＣＢ、信号処理（Signal Processing）ＰＣＢ、ＬＣＤ制御ＰＣＢ及びデータ（またはソース）ＰＣＢに分離されており、高速デジタル信号処理がＰＣＢ基板と他の基板との間を旧式のＴＴＬ信号方式で伝送されるために電磁干渉ＥＭＩの発生が多い。特に、信号処理ＰＣＢとＬＣＤ制御ＰＣＢの間には高速の信号が伝送されるだけでなく、互いに異なるＰＣＢであることから来るアース電位（Ground）レベルの差のためにＥＭＩに非常に脆弱であるという問題点がある。
【０００８】
このような問題を解決するために信号処理ＰＣＢとＬＣＤ制御ＰＣＢの間のデータ伝送に低レベル差動伝送方式（LVDS;Low Voltage Differential Signal）を適用し、電磁シールド及びフェライトコアによる伝送雑音除去などを多数適用することが考えられるが、これは製造費用の上昇を誘発する。
更に、電力発生ブロックが画像駆動用電力発生部、スケーラー電力発生部（またはＤＣ−ＤＣコンバータ）及びバックライト用インバータに分離されてそれぞれのＰＣＢブロックに実装されている。
【０００９】
従って、動作時、外部からスケーラー電力発生部に電源が接続された後、内部のアナログ/デジタル変換器や画像駆動用電力発生部に行くために非常に大きな電流がケーブルを通って流れるようになり、ＥＭＩを生じるという問題点がある。
また、電力発生ブロックが各ＰＣＢブロックに分離されており、ＰＣＢブロック間のデータ伝送が多くなることによって、重複機能が多いという問題点がある。
【００１０】
また、ＰＣＢブロックが三つの部分になっていて、デジタル信号及び駆動電源の連結が増加してＥＭＩ問題を解決するための費用が多くなる問題点がある。つまり、いくつものＰＣＢを収容し、ＥＭＩシールドをするために構造が追加されることによって最終製品の大きさと重量が増加する問題点があり、これは最終製品デザインに多くの制約を加える問題点がある。
【００１１】
本発明の技術はこのような従来の問題点を解決するためのものであって、本発明の目的は、平板ディスプレイ装置を中心にしたシステム構成において、特性や構造、特に生産過程における最適の構造を有し、多様な入力信号にも対応が可能な平板ディスプレイ装置を提供することにある。
【００１２】
【課題を解決するための手段】
前記本発明の目的を実現するための一つの特徴による平板ディスプレイ装置は、一つのＰＣＢ上に一体に配置され、前記PCBと異なる他のPCBに配置される機能ブロックの動作に必要な一つ以上の電源を供給する電源部と、前記電源部とは異なるPCB上に一体に配置される機能ブロックの一つであって、所定の画像を表示するように制御する画像駆動部と、前記電源部とは異なるPCB上に一体に配置される機能ブロックの他の一つであって、前記前記画像駆動部とも異なるPCB上に配置され、前記画像駆動部とは差動信号インターフェイスによって連結され、外部から提供される画像信号を平板ディスプレイパネルに適した信号形態に変換して前記画像駆動部に提供する信号処理部とを含んで構成される。ここで、信号処理部は、外部からグラフィック情報の提供を受けてデジタルグラフィック信号を出力する一つ以上のインターフェース部、前記デジタルグラフィック信号を前記画像駆動部の環境に適応するように変換し、変換されたデジタルグラフィック信号を出力するスケーリング制御部、及び前記変換されたデジタルグラフィック信号を前記画像駆動部に提供するタイミング制御部を含んで構成される。
【００１３】
また画像駆動部は共通電極電圧発生部と、階調電圧発生部と、データ信号を出力するデータドライバーと、ゲート信号を出力するゲートドライバーとを含み、前記データ信号と前記ゲート信号の提供を受けて所定の画像を表示する液晶表示パネルとともに液晶表示モジュールを構成し、前記液晶表示パネルの背面に配置されたバックライト部とともに、前記電源部から電源の供給を受けて駆動するように構成できる。この時電源部は外部から提供される電源を制御して前記液晶表示モジュールのバックライト部を駆動するための電源を供給し、またアナログタイプ電源を前記液晶表示モジュールに供給し、デジタルタイプ電源を前記信号処理部及び前記液晶表示モジュールに供給する。
【００１４】
また前記本発明の目的を実現するための一つの特徴による平板ディスプレイ装置は、一つのＰＣＢ上に一体に配置され、動作に必要な一つ以上の第１電源を供給する第１電源部、前記第１電源部が配置されるＰＣＢとは異なるＰＣＢに一体に配置され、動作に必要な一つ以上の第２電源を供給する第２電源部、前記第１または第２電源部のいずれとも異なるＰＣＢ上に一体に配置され、所定の画像を表示するように制御する画像駆動部、及び前記第１または第２電源部と前記画像駆動部のいずれとも異なるＰＣＢ上に一体に配置され、前記画像駆動部とは差動信号インタフェースにより連結され、外部から提供される画像信号を平板ディスプレイパネルに適した信号形態に変換して前記画像駆動部に提供する信号処理部を含んで構成される。ここで、前記信号処理部は、外部からグラフィック情報の提供を受けてデジタルグラフィック信号を出力する一つ以上のインターフェース部、前記デジタルグラフィック信号を前記画像駆動部の環境に適応するように変換し、変換されたデジタルグラフィック信号を出力するスケーリング制御部、及び前記変換されたデジタルグラフィック信号を前記画像駆動部に提供するタイミング制御部を含んで構成される。
【００１５】
また画像駆動部は前記第１電源の供給を受けて駆動され、共通電極電圧発生部と、階調電圧発生部と、データ信号を出力するデータドライバーと、ゲート信号を出力するゲートドライバーとを含み、前記データ信号と前記ゲート信号の提供を受けて所定の画像を表示する液晶表示パネル及び前記液晶表示パネルの背面に配置されて前記第２電源の提供を受けて駆動されるバックライト駆動部を含む液晶表示モジュールである。
【００１６】
このような多様な入力信号に対応可能な平板ディスプレイ装置によると、平板ディスプレイ装置で電源を供給するＰＣＢ部と、信号処理を担当するＰＣＢ部と、平板ディスプレイパネルの駆動及び画像信号の表示を制御するＰＣＢ部を各々分離して再構成することにより、高周波デジタル信号と高電流を各々特定のＰＣＢ内部に閉じ込めることができるのでＥＭＩ特性を改善することができる。
【００１７】
【発明の実施の形態】
以下、通常の知識を有している者が本発明を容易に実施できるように実施例について説明する。
図１は、本発明の一実施例による平板ディスプレイ装置の機能構造を説明するための図面である。
【００１８】
図１を参照すると、本発明の一実施例による平板ディスプレイ装置は電源部１００、画像駆動部２００及び信号処理部３００を各々分離して含む。
電源部１００はインバータ１１０、スケーラー電力発生部１２０及び画像駆動用電力発生部１３０を含み、１つのＰＣＢ上に一体に配置されており、外部から提供される電源を制御してアナログタイプ電源とデジタルタイプ電源を画像駆動部２００と信号処理部３００に供給する。
【００１９】
画像駆動部２００は、電源部１００が配置されるＰＣＢとは異なるＰＣＢ上に分離配置され、階調電圧発生部２１０、駆動部２２０を含み、信号処理部３００から提供される信号によって平板ディスプレイ２３０に所定の画像を表示する。もし平板ディスプレイ装置が液晶表示装置である場合には、液晶の共通電極電圧（Ｖｃｏｍ）を発生する共通電極電圧発生部２４０をさらに含むように構成する。
【００２０】
信号処理部３００は、電源部１００が配置されるＰＣＢおよび画像駆動部２００が配置されるＰＣＢとは異なるＰＣＢに分離配置され、ＡＤＣ３１０、デジタルインターフェース３２０、ビデオデコーダー３３０、スケーリング制御部３４０及びタイミング制御部３５０を含む。この時、信号処理部３００は電源部１００と画像駆動部２００とは同一平面上に配置される。
【００２１】
動作時、信号処理部３００は外部から画像信号が印加されることによって電源部１００に電源供給命令信号を提供して画像駆動部２００のオン／オフ動作を制御し、前記印加される画像信号を平板ディスプレイパネルに適した信号形態に変換して画像駆動部２００に提供する。
ここで画像駆動部２００と信号処理部３００とは差動信号インターフェースを通じて連結される。このような差動信号インターフェースは、一端が画像駆動部２００と連結され、他端が所定のコネクタを通じて信号処理部３００に連結される構成とすることができる。もちろん差動信号インターフェースの一端が画像駆動部２００と所定のコネクタを通じて連結できるのは自明なことである。
【００２２】
差動信号インターフェースの好ましい一例としてはＬＶＤＳの改良形であるＲＳＤＳ（Reduced Swing Differential Signal）技術を利用することができる。ここで、ＲＳＤＳ技術は米国のナショナルセミコンダクター（National Semiconductor）社で開発されたデジタルインターフェース技術であって、既存のＴＴＬバスインターフェース技術と比べて低ＥＭＩと低消費電力を実現し、低ノイズによってＥＭＩの発生を低減できるという長所がある。
【００２３】
図２は本発明の一実施例による平板ディスプレイ装置の配置構造を説明するための図面である。
図２に示すように、バックライト駆動電源を発生するインバータと平板ディスプレイ装置の駆動のための電源を、発生ブロックを一つに集積することによって一つのＰＣＢ基板内部に高電流を閉じ込めることができるのでＥＭＩ特性を改善することができる。
【００２４】
また、電源を供給するＰＣＢ基板（Inverter&power PCB）を信号処理基板（Signal Processing PCB）から分離することにより、平板ディスプレイパネルのサイズ及び解像度変更に各々独立して自由に対応できる。
また、主にＥＭＩの発生要因である信号処理部を一つのＰＣＢである信号処理基板に集積することによってＥＭＩに対する対応をより容易に対処でき、アナログインターフェースやビデオインターフェースまたはデジタルインターフェースを平板ディスプレイ製品に応じて組み合わせて設計することができ、大量生産の長所と共に多様なカスタマーの要求を同時に満足させることができる。
【００２５】
また、信号処理部が配置されるＰＣＢと画像駆動部が配置されるＰＣＢとの連結において、データ伝送のためのインターフェースとして差動信号インターフェース技術であるＲＳＤＳ技術を利用することによって発生するＥＭＩを低減することができ、同時に動作タイミングを改善することができる。
またコネクタで信号処理部が配置されるＰＣＢと画像駆動部が配置されるＰＣＢを容易に連結できる構造としてブロック化設計することを実現でき、既存のＴＴＬ連結方式では二つのＦＰＣ（Flexable Printed Circuit）を利用するのに対し、本発明では差動信号インターフェース技術であるＲＳＤＳ技術を利用するので一つのＦＰＣの設計を通じて実現できる。
【００２６】
また、画像駆動部が配置されるＰＣＢには電力発生部の構成を配置せずに、パネル特性とマッチングが必要な共通電極電圧発生部と階調電圧発生部を配置してブロック化設計を実現する。
以上で説明したように、本発明の一実施例では平板ディスプレイ装置で電源を供給する電源部が配置されるＰＣＢと、信号処理を担当する信号処理部が配置されるＰＣＢ部、平板ディスプレイパネルの駆動及び画像信号のディスプレイを制御する画像制御部が配置されるＰＣＢを各々分離して再構成することにより、高周波デジタル信号と高電流を各々特定のＰＣＢ内部に閉じ込めることができるのでＥＭＩ特性を改善することができる。
【００２７】
以下、前記図２で説明した様々な入力信号に対応可能な平板ディスプレイ装置を利用してモニター装置やＴＶセットなどに適応する平板ディスプレイ装置を実現することを説明する。
図３は、本発明の一実施例による平板ディスプレイ装置の機能構造を説明するための図面である。
【００２８】
図３に示すように、本発明の一実施例による平板ディスプレイ装置は電源部１００、画像駆動部２００及び信号処理部３００を含み、ここで説明する平板ディスプレイ装置は液晶表示装置である。この時信号処理部３００を装着した平板ディスプレイ装置はカスタマー業者側、例えばモニター製造業者側やＴＶ製造業者側で各特性に合うように交替することによってモニター装置やＴＶセット等で利用できる。
【００２９】
電源部１００はバックライト用インバータ１１０、ＤＣ−ＤＣコンバータ１２０及び電力発生部１３０を含み、外部から提供される電源をステップダウン制御してアナログタイプ電源とデジタルタイプ電源を画像駆動部２００及び信号処理部３００に各々供給する。
より詳しくは、バックライト用インバータ１１０は外部から提供される７乃至１２ＶのＤＣ電源の提供を受けて液晶表示装置のバックライトをつけるための１２ボルトの電源に変換してバックライト駆動部（図示せず）に提供する。
【００３０】
ＤＣ−ＤＣコンバータ１２０は外部から提供される電源の提供を受けてレベルダウンさせ電力発生部１３０に提供する。通常外部から７乃至２４ＶのＤＣ電源の提供を受けてこれをレベルダウンさせ５ＶのＤＣ電源を電力発生部１３０に提供する。
電力発生部１３０はＬＣＤ用アナログ電力発生部１３２、ＬＣＤ用デジタル電力発生部１３４を含んで、ＤＣ−ＤＣコンバータ１２０から５ＶにレベルダウンされたＤＣ電源の提供を受けて、信号処理部３００から提供されるＬＣＤオン／オフスイッチング信号によって画像駆動部２００を駆動するためのアナログタイプ及びデジタルタイプの電源を画像駆動部２００に提供し、また信号処理部３００を駆動するための電源を提供する。
【００３１】
この時ＬＣＤ用アナログ電力発生部１３２はＤＣ−ＤＣコンバータ１２０から５ＶのＤＣ電源の提供を受けて信号処理部３００からＬＣＤオンスイッチング信号が入力される場合にアナログ駆動電源（ＡＶＤＤ）と画像駆動用電源（ＶＯＮ/ＶＯＦＦ）を画像駆動部２００に提供する。
またＬＣＤ用デジタル電力発生部１３４はＤＣ−ＤＣコンバータ１２０から５ＶのＤＣ電源の提供を受けて信号処理部３００からＬＣＤオンスイッチング信号が入力される場合にＤＣ電源、好ましくは３．３ＶのＤＣ電源を画像駆動部２００及び信号処理部３００に提供する。
【００３２】
画像駆動部２００は階調電圧発生部２１０と、データドライバー２２２及びゲートドライバー２２４を含む駆動部２２０と、共通電極電圧発生部２４０を含んで、電源部１００から提供されるアナログタイプ電源とデジタルタイプ電源の提供を受けて所定の画像をディスプレイする。
より詳しくは、階調電圧発生部２１０はＬＣＤ用アナログ電力発生部１３２からアナログ駆動電源の提供を受けて所定の階調電圧に変更し駆動部２２０側に出力する。
【００３３】
データドライバー２２２はＬＣＤ用アナログ電力発生部１３２からアナログ駆動電源の提供を受け、ＬＣＤ用デジタル電力発生部１３４から所定の電圧、好ましくは３．３Ｖの提供を受け、信号処理部３００からコラム制御信号の提供を受けて駆動される。
ゲートドライバー部２２４は信号処理部３００から制御信号の提供を受け、ＬＣＤ用デジタル電力発生部１３４からＴＦＴ画素のオン／オフのための電源の提供を受けて駆動する。
【００３４】
共通電極電圧発生部２４０は、液晶表示パネル２３０において液晶の極性反転時に基準となる共通電極電圧（Ｖｃｏｍ）を液晶表示パネルに出力するものであり、液晶表示装置が高電圧駆動方式を利用する場合にはＤＣ電源とすることができ、液晶表示装置が低電圧駆動方式を利用する場合には所定の周期、好ましくは画像信号の一フレームを周期にしてハイレベルとローレベルを繰り返す電源とする。
【００３５】
信号処理部３００は外部からＤＶＩ−Ｄ（Digital Visual Interface−Data）入力信号の提供を受けるＴＭＤＳインターフェース部３１０、外部からビデオ信号やスーパー−ビデオ信号の提供を受けるビデオインターフェース部３２０、アナログＲＧＢ信号の提供を受けてデジタル変換して出力するアナログ/デジタル変換器（ＡＤＣ）３３０、デジタル変換された信号を加工してＬＣＤパネルが要求する信号に変換出力するスケーリング制御部３４０及びタイミング制御部３５０を含む。
【００３６】
この時スケーリング制御部３４０はＴＭＤＳインターフェース部３１０、ビデオインターフェース部３２０及びＡＤＣ３３０から提供されるデジタル変換された信号を加工してＬＣＤパネルが要求する信号に変換する。
一般にＬＣＤパネルは単一周波数の信号が表示できる装置であって、ノートブックコンピュータ形態の製品とは異なるコンポーネント組合わせ方式の製品のために用いられる場合、多様な種類の周波数領域の信号をＬＣＤパネルが要求する信号形態に変換する中間装置が必要であって、このような役割を担当するものが前記スケーリング制御部である。もしスケーリング制御部を経ない場合には、低い解像度の信号を高解像度パネル上に表示する場合、全体領域に表示されず解像度に該当する一部領域にだけ表示されるという問題点を有する。
【００３７】
したがってスケーリング制御部では、画面領域を調整する一つの方法として、水平的にサンプリング個数を調整する単純補間方式を利用することによって垂直的にはライン複製を行って画面領域を調整する。
また画面領域を調整する他の方法として、単純にピクセルやラインを追加することでなく、一定の大きさのブロックを単位にして各ブロック全体を参照するＤＳＰ技術を利用して新たなピクセルを作り出す方式によって画面領域を調整することも可能である。
【００３８】
図４は、本発明の他の実施例による平板ディスプレイ装置の機能構造を説明するための図面である。
図４に示すように、本発明の他の実施例による平板ディスプレイ装置は電源部５００、インバータ部６００、信号処理部７００、画像駆動部８００を各々分離して含む。
【００３９】
電源部５００は、１つのＰＣＢ上に一体に配置されるスケーラー電力発生部５１０及び画像駆動用電力発生部５２０を含んで、外部から提供される電源を制御してアナログタイプ電源とデジタルタイプ電源をインバータ部６００、信号処理部７００及び画像駆動部８００に供給する。
インバータ部６００は、電源部５００が配置されるＰＣＢとは異なるＰＣＢ上に分離配置され、電源部５００から提供される電源によって駆動されて液晶表示パネルの後面に配置されるバックライトを駆動する。
【００４０】
信号処理部７００は、電源部５００が配置されるＰＣＢおよびインバータ部６００が配置されるＰＣＢとは異なるＰＣＢに分離配置され、ＡＤＣ７１０、デジタルインターフェース７２０、ビデオデコーダー７３０及びスケーリング制御部７４０を含んで、外部から画像信号が印加されることによってインバータ部６００及び電源部５００に電源供給命令信号を提供して画像駆動部８００のオン／オフ動作を制御し、前記画像信号を平板ディスプレイパネルに適した信号形態に変換して画像駆動部８００に提供する。
【００４１】
画像駆動部８００は、電源部５００が配置されるＰＣＢ、インバータ部６００が配置されるＰＣＢおよび信号処理部７００が配置されるＰＣＢとは異なるＰＣＢ上に分離配置され、階調電圧発生部８１０、駆動部８２０及びタイミング制御部８４０を含んで、所定の画像を平板ディスプレイパネル８３０にディスプレイする。もし平板ディスプレイ装置が液晶表示装置である場合には液晶の共通電極電圧（Ｖｃｏｍ）を発生する共通電極電圧発生部８５０をさらに含むように構成する。
【００４２】
以上で説明したように、本発明の他の実施例では平板ディスプレイ装置で平板ディスプレイ装置の後面に印加されるバックライト部に電源を印加するインバータ部と、電源を供給する電源部と、信号処理を担当する信号処理部と平板ディスプレイパネルの駆動及び画像信号のディスプレイを制御する画像駆動部を各々異なるＰＣＢ上に分離して構成することによって、高周波デジタル信号と高電流を各々特定のＰＣＢ内部に閉じ込めることができるのでＥＭＩ特性を改善することができる。
【００４３】
図５は、本発明の他の実施例による平板ディスプレイ装置の背面を説明するための図面である。
図５に示すように、平板ディスプレイパネル、好ましくは液晶表示パネルの背面（または後面）に位置する電源部を備えるＰＣＢと液晶表示パネルのバックライトを駆動するためのインバータを備えるＰＣＢを分離構成することにより、平板ディスプレイパネルのサイズ及び解像度変更に可変的に対応できる。
【００４４】
またＥＭＩの発生要因である信号処理部を一つのＰＣＢに集積することによって、ＥＭＩに対する対応をより容易に対処することができ、アナログインターフェースやビデオインターフェースまたはデジタルインターフェースを最終製品によって組み合わせて設計でき、大量生産の長所と様々なカスタマー業者の要求を同時に満足させることができる。
【００４５】
また、信号処理部と画像駆動部との連結を差動信号インターフェース、好ましくはＲＳＤＳ技術を利用することによってＥＭＩ及びタイミングを改善することができる。またコネクタで信号処理部と画像駆動部を容易に連結できる構造でブロック化設計を実現する。この時、画像駆動部には、電源供給を行う構成を配置せずに、パネル特性とマッチングが必要な共通電極電圧発生部と階調電圧発生部とを配置してブロック化設計を具現する。
【００４６】
以上で説明したように、本発明の他の実施例では平板ディスプレイ装置で電源を供給する電源部と、信号処理を担当する信号処理部と、平板ディスプレイパネルの駆動及び画像信号のディスプレイを制御する画像駆動部を各々分離して再構成することにより、高周波デジタル信号と高電流を各々特定のＰＣＢ内部に閉じ込めることができるのでＥＭＩ特性を改善することができる。
【００４７】
以上の多様な実施例では液晶表示装置を中心に説明したが、ＰＤＰやＦＥＤ、ＥＬなどの平板ディスプレイ装置、好ましくはデジタルグラフィック信号をディスプレイする平板ディスプレイ装置にも本発明が利用できるのは自明なことである。
前記では本発明の好ましい実施例を参照して説明したが、該当技術分野の熟練した当業者であれば特許請求の範囲に記載された本発明の思想及び領域から逸脱しない範囲内で本発明を多様に修正及び変更できることが理解できる。
【００４８】
【発明の効果】
以上説明したように本発明によると、高周波デジタル信号と高電流が各々特定のＰＣＢ内部に閉じ込められるために平板ディスプレイ装置で発生するＥＭＩの除去を容易にする効果がある。
また信号処理と電力の機能を各々別途のＰＣＢに集めて置いたために重複機能を最小化することができ、またこのように類似した機能を集めて置くことによって類似機能の集積化など追加的な集積化にも有利に対処できる。
【００４９】
また従来の平板ディスプレイ装置の構成と対比してＰＣＢ間の連結を減らすことができ、高周波や高電流の連結を減らすことができるために連結ケーブルの費用を節減し、ＥＭＩを軽減できる。
また平板ディスプレイ装置上に電源部と信号処理部及び画像駆動部を同一平面上に配置することによって従来の平板ディスプレイ装置の重量や厚さより画期的に減らすことができる。
【００５０】
また平板ディスプレイ装置で提供することができる基本的なブロックだけを製造ラインを通じて完成し、信号処理ブロックは各種製品特性に合うように設計して装着することにより最終平板ディスプレイ装置の製品設計により多くの融通性を付与することができる。
【図面の簡単な説明】
【図１】  本発明の一実施例による平板ディスプレイ装置の機能構造を説明するための図面である。
【図２】  本発明の一実施例による平板ディスプレイ装置の配置構造を説明するための図面である。
【図３】  本発明の一実施例による平板ディスプレイ装置の機能構造を説明するための図面である。
【図４】  本発明の他の実施例による平板ディスプレイ装置の機能構造を説明するための図面である。
【図５】  本発明の他の実施例による平板ディスプレイ装置の背面を説明するための図面である。
【符号の説明】
１００  電源部
１２０  スケーラー電力発生部
１３０  画像駆動用電力発生部
１３２  ＬＣＤ用アナログ電力発生部
１３４  ＬＣＤ用デジタル電力発生部
２００  画像駆動部
２１０  階調電圧発生部
２２０  駆動部
２２２  データドライバー部
２２４  ゲートドライバー部
２３０  平板ディスプレイパネル
２４０  共通電極電圧発生部
３００  信号処理部
３１０  ＡＤＣ
３２０  デジタルインタフェース
３３０  ビデオデコーダー
３４０  スケーリング制御部
３５０  タイミング制御部
５００  電源部
５１０  スケーラー電力発生部
５２０  画像駆動用電力発生部
６００  インバータ部
７００  信号処理部
７１０  ＡＤＣ
７２０  デジタルインタフェース
７３０  ビデオデコーダー
７４０  スケーリング制御部
８００  画像駆動部
８１０  階調電圧発生部
８２０  駆動部
８３０  平板ディスプレイパネル
８４０  タイミング制御部
８５０  共通電極電圧発生部
【図１】
0004009454.tif 000002
【図２】
0004009454.tif 000003
【図３】
0004009454.tif 000004
【図４】
0004009454.tif 000005
【図５】
0004009454.tif 000006